(57)【要約】【課題】  住宅の床、天井または壁の内装を変えることなく、シックハウス症の原因となる汚染物質を除去する方法を提供する。【解決手段】  シックハウス症の原因となる汚染物質の吸収能力の高い藻類をペースト状にしたものを、室内に設置した全体または一部が緑系色を基調とする装飾品に塗布して、室内の空気中のシックハウス症の原因となる汚染物質を吸収させるようにしている。そして、前記装飾品を、造花としたり、人工観葉植物としている。【選択図面】    なし【特許請求の範囲】
【請求項１】
シックハウス症の原因となる汚染物質の吸収能力の高い藻類をペースト状にしたものを、室内に設置した全体または一部が緑系色を基調とする装飾品に塗布して、室内の空気中のシックハウス症の原因となる汚染物質を吸収させるようにしたことを特徴とする室内の空気汚染物質除去方法。
【請求項２】
前記装飾品が、造花であることを特徴とする請求項１記載の室内の空気汚染物質除去方法。
【請求項３】
前記装飾品が、人工観葉植物であることを特徴とする請求項１記載の室内の空気汚染物質除去方法。
【発明の詳細な説明】
【技術分野】
【０００１】
この発明は、住宅建材や家具などから発生する室内の空気汚染物質を除去する方法に関するものである。
【背景技術】
【０００２】
最近の新築住宅は、塩化ビニール樹脂や合板などの住宅建材で造られている。そのため、これらの住宅建材から発生する汚染物質により、室内の空気が汚染され、そこで暮らすうちに徐々に人体の健康が蝕まれていく。特に、新築直後やリフォーム後は、汚染物質の濃度が高いため、頭痛、発熱、咳、嘔吐、アトピー性皮膚炎、眼病、自立神経失調症など様々な病気（一般に「シックハウス症」と言われている）になる。
【０００３】
このようなシックハウス症の原因となる汚染物質としては、住宅の床、天井、壁などの合板から発生するホルムアルデヒド、塩化ビニール樹脂の原料である塩化ビニールモノマー、塗料や接着剤の溶剤であるフタル酸化合物、テトラクロロエチレン、トリクロロエチレン、さらにはシロアリ駆除剤、殺虫剤、防ダニ剤、木材防腐剤に含まれるペルメトリンなどである。
【０００４】
従来、上記シックハウス症の原因となる汚染物質を除去する方法としては、例えば、シックハウス症の原因となる汚染物質の吸収能力の高い藻類の単体または数種を混合して大量培養したものを回収し、ペースト状にしたものを、住宅の床、天井または壁に塗布して、室内の空気中のシックハウス症の原因となる汚染物質を吸収させるようにしたものが存在する（特許文献１）。
【特許文献１】特開２００２−１４３６２７号公報（第２頁）
【発明の開示】
【発明が解決しようとする課題】
【０００５】
しかしながら、上記従来の室内の空気汚染物質除去方法では、住宅の床、天井または壁に藻類を塗布することにより、部屋の内装を大きく変えてしまい、住む人の好みに合わなくなる場合がある。すなわち、シックハウス症の原因となる汚染物質の吸収能力の高い藻類の色は緑系色が多く、緑系色以外の色の選択がほとんどできないのが現状である。住宅の床、天井または壁に藻類を塗布することにより、シックハウス症を抑えることができても、好みに合わない床、天井または壁の色の住宅環境に住まなければならないのは、好ましいことではない。
【０００６】
そこで、この発明は、上記従来の問題点を解消することを目的としており、住宅の床、天井または壁の内装を変えることなく、シックハウス症の原因となる汚染物質を除去する方法を提供することを目的としてなされたものである。
【課題を解決するための手段】
【０００７】
そのため、この発明の室内の空気汚染物質除去方法は、シックハウス症の原因となる汚染物質の吸収能力の高い藻類をペースト状にしたものを、室内に設置した全体または一部が緑系色を基調とする装飾品に塗布して、室内の空気中のシックハウス症の原因となる汚染物質を吸収させるようにしている。
【０００８】
そして、この発明では、前記装飾品を、造花としたり、人工観葉植物としている。
【発明の効果】
【０００９】
この発明の室内の空気汚染物質除去方法は、以上に述べたように構成されているので、住宅の床、天井または壁の内装を変えることなく、シックハウス症の原因となる汚染物質を除去することができるものとなる。
【発明を実施するための最良の形態】
【００１０】
以下、この発明の室内の空気汚染物質除去方法を実施するための最良の形態について、詳細に説明する。
【００１１】
この発明の室内の空気汚染物質除去方法は、先ず、シックハウス症の原因となる汚染物質の吸収能力の高い藻類を、単体または数種を混合して大量培養したものを回収し、ペースト状にしたものを得る。そして、このペースト状にした藻類を、室内に設置した全体または一部が緑系色を基調とする装飾品に、１畳当たり乾燥パウダーにして約５〜６０ｇ／０．２５ｍ2 塗布して、室内の空気中のシックハウス症の原因となる汚染物質を吸収させるようにしている。なお、前記藻類は、装飾品に前記した量を塗布すれば汚染物質を吸収するには十分であるが、装飾品の塗布面積当たりの適切な塗布量を考慮すれば、前記装飾品に、１畳当たり乾燥パウダーにして約１０〜３０ｇ／０．２５ｍ2 塗布するのが好ましい。
【００１２】
この発明において、前記装飾品としては、造花としたり、人工観葉植物とすることができる。造花としては、花より葉や茎の表面積が広いものが好ましく、人工観葉植物としては、針葉樹より広葉樹の方が葉の表面積が広く好ましいが、室内の１畳当たりの葉や茎の表面積が約０．２５ｍ2 以上確保できるのであれば、どのような造花、人工観葉植物であってもよい。
【００１３】
また、この発明で用いられる藻類としては、シックハウス症の原因となる汚染物質の吸収能力の高いものであれば特に限定されないが、例えば藍藻類や緑藻類では、次のものを挙げることができる。藍藻類では、アナベナ・トルロサ(Anabaena torulosa) 、アファノセケ・ハロフィチカ(Aphanothece halophytica) 、オッシラトリア・リムネチカ(Oscillatoria limnetica)、スピルリナ・スブサルサ(Spirulina subsalsa)、ミクロコレス・クソノプラステス(Microcoleus chthonoplastes)、ベスチェロプシス・プロリフィカ(Westiellopsis prolifica) 、トリポスリックス・セイロニカ(Tolypothrix ceylonica) 、フォルミジウム・ルリドム(Phormidium luridum)、ノストック・コムネ(Nostoc commune)、アナベナ・スファエリカ(Anabaena sphaerica)、カロスリックス・クルスタセア(Calothrix crustacea) 、スピルリナ・マジョール(Spirulina major) 、オッシラトリア・リモサ(Oscillatoria limosa) 、リングビア・コンフェルボイデス(Lyngbya confervoides)、シンプロカ・ラエテ−ビリディス(Symploca laete-viridis)、ヒドロコレウム・メネグヒニアヌム(Hydrocoleum meneghinianum) 、プレクトネマ・ハンスギルギ(Plectonema hansgirgi)、トリポスリックス・フラギリス(Tolypothrix fragilis)、スキトネマ・ジャバリキュム(Scytonema javanicum) 、ディコスリックス・バウエリアナ(Dichothrix baueriana)、リブラリア・ブラタ(Rivularia bullata) 、ハパロシホン・フォンチナリス(Hapaloshiphon fontinalis)、ベスチェロプシス・プロリフィカ(Westiellopsis  prolifica)などである。緑藻類では、スコチェロプシス・テレストリス(Scotiellopsis terrestris)、クロロコッカム・エキノチゴツム(Chlorococcum echinozygotum)、ミルメキア・ビアトレラエ(Myrmecia biatorellae)、ディクチオクロロプシス・レチキュラテ(Dictyochloropsis reticulate) 、クロレラ・ブルガリス(Chlorella vulgaris)、アパトコッカス・ロバツス(Apatococcus lobatus) 、クロレラ・ピレノイドサ(Cholorella pyrenoidosa)などである。
【００１４】
以下、この発明の室内の空気汚染物質除去方法を実施例に基づいて、詳細に説明する。
【００１５】
（実施例１）
藍藻類のオッシラトリア・リモサ(Oscillatoria limosa) を、直径３ｍ、高さ２ｍの１０ｔ容の円形タンクで培養した。培地は、１リットル当たり硝酸カルシウム四水和物５０ｍｇ、硝酸カリウム０．１ｇ、硝酸ナトリウム５０ｍｇ、硫酸ナトリウム４０ｍｇ、塩化マグネシウム六水和物５０ｍｇ、β−グリセロ燐酸二ナトリウム０．１ｇ、エチレンジアミン四酢酸四ナトリウム四水和物５ｍｇ、塩化鉄六水和物０．５ｍｇ、塩化マンガン四水和物５ｍｇ、塩化亜鉛０．５ｍｇ、塩化コバルト六水和物５ｍｇを含有するように調製した。光源は、太陽光を光ファイバーでタンク内に取り入れた。タンク底部から０．５％の二酸化炭素を含む空気を２５０リットル／分の割合で吹き込んだ。タンク内は攪拌棒で攪拌し、藻体濃度を均一に保った。培養開始１４日後、１０トンの培養液を遠心分離し、水分量約８０％となるペースト状のオッシラトリア・リモサを得た。
【００１６】
次に、人工観葉植物であるモミの木（高さ２ｍ、幅５０ｃｍ）の葉の表裏面合わせて１．５ｍ2 に、前記ペースト状のオッシラトリア・リモサを乾燥パウダーにして４５ｇ塗布した。そして、このモミの木をシックハウス症の影響がある６畳の洋室に設置した。設置前、設置３時間後、設置１週間後、設置４週間後の室内のホルムアルデヒドの濃度を測定した。
【００１７】
ホルムアルデヒドの濃度の測定は、ホルムアルデヒド濃度検査キット（ＳＩＬＳＥＴ：島津製作所製）を用いて行った。具体的には、室内の空気３．２リットルを空気ポンプで吸引し、２規定の水酸化ナトリウム溶液２ミリリットルの中に通し、空気中のホルムアルデヒドをこの補集液に溶け込ませた。次に、注射器で二種類のホルムアルデヒド発色試薬を加え、反応した色の濃さを分光光度計（測定波長：５３０ｎｍ）により測定し、ホルムアルデヒドの濃度を求めた。結果を表１に示す。
【００１８】
【表１】
2006102627.tif 000002
【００１９】
（実施例２）
緑藻類のミルメキア・ビアトレラエ(Myrmecia biatorellae)を、縦５ｍ、横１ｍの２５０リットル容のレースウェイ培養装置で培養した。培地は、１リットル当たり硝酸カリウム０．２５ｇ、硫酸マグネシウム７５ｍｇ、燐酸水素二カリウム７５ｍｇ、燐酸二水素カリウム０．１７５ｇ、塩化ナトリウム２５ｍｇ、塩化カルシウム１０ｍｇ、硫酸鉄溶液* １ミリリットル、Ａ5 溶液**１ミリリットルを含有するように調製した（硫酸鉄溶液* ：濃硫酸２滴を加えた水０．５リットルに硫酸第一鉄１．０ｇを溶かした液、Ａ5 溶液**：水１リットルにホウ酸２．８６ｇ、硫酸マンガン２．５ｇ、硫酸亜鉛０．２２２ｇ、硫酸銅７９ｍｇ、モリブデン酸ナトリウム２１ｍｇを溶かした液）。光源は、太陽光を利用し、屋外培養とした。レースウェイ培養装置の底部から０．５％の二酸化炭素を含む空気を０．５リットル／分の割合で吹き込んだ。攪拌は２基のペダルで攪拌し、藻体濃度を均一に保った。培養開始２１日後、２５０リットルの培養液を遠心分離し、水分量約８０％となるペースト状のミルメキア・ビアトレラエを得た。
【００２０】
次に、人工観葉植物である３本のゴールドクレスト（高さ１８０ｃｍ、幅６５ｃｍ）の葉の表裏面合わせて２ｍ2 に、前記ペースト状のミルメキア・ビアトレラエを乾燥パウダーにして９６０ｇ塗布した。そして、３本のゴールドクレストをシックハウス症の影響がある１６畳のダイニングキッチンに設置した。設置前、設置３時間後、設置１週間後、設置４週間後の室内のホルムアルデヒドの濃度を測定した。
【００２１】
ホルムアルデヒドの濃度の測定は、ホルムアルデヒド濃度検査キット（ＳＩＬＳＥＴ：島津製作所製）を用いて行った。具体的には、室内の空気３．２リットルを空気ポンプで吸引し、２規定の水酸化ナトリウム溶液２ミリリットルの中に通し、空気中のホルムアルデヒドをこの補集液に溶け込ませた。次に、注射器で二種類のホルムアルデヒド発色試薬を加え、反応した色の濃さを分光光度計（測定波長：５３０ｎｍ）により測定し、ホルムアルデヒドの濃度を求めた。結果を表２に示す。
【００２２】
【表２】
2006102627.tif 000003
【００２３】
（実施例３）
藍藻類のノストック・コムネ(Nostoc commune)を、直径５ｍ、高さ３ｍの３０ｔ容の円形タンクで培養した。培地は、１リットル当たり硝酸カルシウム四水和物５０ｍｇ、硝酸カリウム０．３ｇ、硝酸ナトリウム７０ｍｇ、硫酸ナトリウム６０ｍｇ、塩化マグネシウム六水和物４０ｍｇ、β−グリセロ燐酸二ナトリウム０．２ｇ、エチレンジアミン四酢酸四ナトリウム四水和物５ｍｇ、塩化鉄六水和物０．５ｍｇ、塩化マンガン四水和物５ｍｇ、塩化亜鉛０．５ｍｇ、塩化コバルト六水和物５ｍｇを含有するように調製した。光源は、蛍光灯照射とした。タンク底部から０．５％の二酸化炭素を含む空気を１００リットル／分の割合で吹き込んだ。タンク内は攪拌棒で攪拌し、藻体濃度を均一に保った。培養開始１０日後、１０トンの培養液を遠心分離し、水分量約７８％となるペースト状のノストック・コムネを得た。
【００２４】
次に、人工観葉植物である松の木（高さ２ｍ、長幅６０ｃｍ、短幅５５ｃｍ）の葉の表裏面合わせて１．５ｍ2 に、前記ペースト状のノストック・コムネを乾燥パウダーにして９０ｇ塗布した。そして、この松の木をシックハウス症の影響がある８畳の和室に設置した。設置前、設置３時間後、設置１週間後、設置４週間後の室内のホルムアルデヒドの濃度を測定した。
【００２５】
ホルムアルデヒドの濃度の測定は、ホルムアルデヒド濃度検査キット（ＳＩＬＳＥＴ：島津製作所製）を用いて行った。具体的には、室内の空気３．２リットルを空気ポンプで吸引し、２規定の水酸化ナトリウム溶液２ミリリットルの中に通し、空気中のホルムアルデヒドをこの補集液に溶け込ませた。次に、注射器で二種類のホルムアルデヒド発色試薬を加え、反応した色の濃さを分光光度計（測定波長：５３０ｎｍ）により測定し、ホルムアルデヒドの濃度を求めた。結果を表３に示す。
【００２６】
【表３】
2006102627.tif 000004
【００２７】
（実施例４）
緑藻類のクロロコッカム・エキノチゴツム(Chlorococcum echinozygotum)を、縦１ｍ、横０．５ｍ、高さ０．５ｍの１００リットル容の培養装置で培養した。培地は、１リットル当たり硝酸カリウム０．２５ｇ、硫酸マグネシウム７０ｍｇ、燐酸水素二カリウム７５ｍｇ、燐酸二水素カリウム０．１７５ｇ、塩化ナトリウム２５ｍｇ、塩化カルシウム１０ｍｇ、硫酸鉄溶液* １ミリリットル、Ａ5 溶液**１ミリリットルを含有するように調製した（硫酸鉄溶液* ：濃硫酸２滴を加えた水０．５リットルに硫酸第一鉄１．０ｇを溶かした液、Ａ5 溶液**：水１リットルにホウ酸２．８６ｇ、硫酸マンガン２．５ｇ、硫酸亜鉛０．２２２ｇ、硫酸銅７９ｍｇ、モリブデン酸ナトリウム２１ｍｇを溶かした液）。光源は、蛍光灯照射とした。培養装置の底部から０．５％の二酸化炭素を含む空気を１０リットル／分の割合で吹き込んだ。攪拌はペダルで攪拌し、藻体濃度を均一に保った。培養開始１０日後、１００リットルの培養液を遠心分離し、水分量約８０％となるペースト状のクロロコッカム・エキノチゴツムを得た。
【００２８】
次に、造花である薔薇２０本、百合５本、カーネーション１０本のそれぞれの葉の表面の２ｍ2 に、前記ペースト状のクロロコッカム・エキノチゴツムを乾燥パウダーにして３２０ｇ塗布した。そして、これら造花をシックハウス症の影響がある１０畳のリビングに設置した。設置前、設置３時間後、設置１週間後、設置４週間後の室内のトリクロロエチレンの濃度を測定した。
【００２９】
トリクロロエチレンの濃度の測定は、検知管測定法により行った（トリクロロエチレン検知管（ガステック社製）を使用）。結果を表４に示す。
【００３０】
【表４】
2006102627.tif 000005